(57)【要約】【課題】屋内側への浸水を抑制することができる防水装置のシートを提供すること。【解決手段】構造物Ｓの開口部２を開閉する開閉体４の鉛直方向下端側の所定部４１と、構造物Ｓのうち所定部４１に隣接する部分とを一体に覆うことで開口部２の鉛直方向下端側を閉塞し、かつ鉛直方向下端部が床面６に沿って屋外側に向けて延在するように、開閉体４よりも屋外側に位置付けられて、幅方向の端が保持部材２０に保持されるシート本体１２と、所定部４１に対応する範囲と少なくとも鉛直方向下端部の範囲に亘って、シート本体１２の幅方向の端の屋内側に取り付けられている止水ゴム５０と、を備える。【選択図】図１
2014136898.tif 000002
【特許請求の範囲】
【請求項１】
構造物の開口部を開閉する開閉体の鉛直方向下端側の所定部と、前記構造物のうち前記所定部に隣接する部分とを一体に覆うことで前記開口部の鉛直方向下端側を閉塞し、かつ鉛直方向下端部が床面に沿って屋外側に向けて延在するように、前記開閉体よりも屋外側に位置付けられて、幅方向の端が保持部材に保持されるシート本体と、
前記所定部に対応する範囲と少なくとも前記鉛直方向下端部の範囲に亘って、前記シート本体の幅方向の端の屋内側に取り付けられている止水ゴムと、を備える
ことを特徴とする防水装置のシート。
【請求項２】
前記止水ゴムが、前記開口部を形成する壁面に取り付けられかつ前記開閉体の幅方向の端を保持する支持部材と、前記開口部を形成する壁面に取り付けられかつ前記支持部材よりも屋外側に配置された前記保持部材との間を止水する
ことを特徴とする請求項１に記載の防水装置のシート。
【請求項３】
前記止水ゴムが、前記開口部を形成する壁面に取り付けられかつ前記開閉体の幅方向の端を保持するとともに前記保持部材が取り付けられた支持部材と、前記開閉体との間を止水する
ことを特徴とする請求項１に記載の防水装置のシート。
【請求項４】
前記シート本体の幅方向の端に設けられ、かつ前記シート本体の幅方向の端とともに前記保持部材に保持される心材を備え、
前記止水ゴムは、前記心材の下端よりも下方に延在している
ことを特徴とする請求項１から３のいずれか１項に記載の防水装置のシート。
【発明の詳細な説明】
【技術分野】
【０００１】
本発明は、開口部からの浸水を抑制する防水装置のシートに関する。
【背景技術】
【０００２】
従来、開閉体によって開閉される開口部からの浸水を抑制する技術が提案されている。例えば、特許文献１には、開閉体としてのシャッターの裏面には屈曲自在なシートが設けられていると共に、シートと対向するようにしてガイドレールにはシール部材が設けられ、シャッターに浸水しようとする氾濫水等の水圧がシャッターの表面に作用すると、シートがシール材に圧接されるようになっている、浸水防止機能を備えたシャッター装置の技術が開示されている。
【先行技術文献】
【特許文献】
【０００３】
【特許文献１】特許第４４５９７４０号公報
【発明の概要】
【発明が解決しようとする課題】
【０００４】
前述した特許文献１に示された技術では、開口部からの浸水を抑制することについて、なお改良の余地がある。このために、シャッターの表面側にシートを保持部材により保持することが提案されている。この場合、シャッターの下端や幅方向の端の外側などから屋内側に浸水することが考えられる、というなお改良の余地がある。
【０００５】
本発明の目的は、屋内側への浸水を抑制することができる防水装置のシートを提供することである。
【課題を解決するための手段】
【０００６】
本発明の開口部の防水装置のシートは、構造物の開口部を開閉する開閉体の鉛直方向下端側の所定部と、前記構造物のうち前記所定部に隣接する部分とを一体に覆うことで前記開口部の鉛直方向下端側を閉塞し、かつ鉛直方向下端部が床面に沿って屋外側に向けて延在するように、前記開閉体よりも屋外側に位置付けられて、幅方向の端が保持部材に保持されるシート本体と、前記所定部に対応する範囲と少なくとも前記鉛直方向下端部の範囲に亘って、前記シート本体の幅方向の端の屋内側に取り付けられている止水ゴムと、を備えることを特徴とする。
【０００７】
上記防水装置のシートでは、所定部に対応する範囲と鉛直方向下端部の中央とに亘ってシート本体の幅方向の端に止水ゴムを設けているので、止水ゴムにより開閉体と床面との間から浸水を抑制できる。また、シート本体の幅方向の端に止水ゴムを設けているので、止水ゴムにより開閉体の幅方向の端よりも外側からの浸水を抑制することができる。このために、止水ゴムにより開閉体の下縁と床面との間からの浸水と、開閉体の幅方向の端の外側からの浸水を抑制することができる。したがって、屋内側への浸水を抑制することができる。
【０００８】
上記防水装置のシートにおいて、前記止水ゴムが、前記開口部を形成する壁面に取り付けられかつ前記開閉体の幅方向の端を保持する支持部材と、前記開口部を形成する壁面に取り付けられかつ前記支持部材よりも屋外側に配置された前記保持部材との間を止水することが好ましい。
【０００９】
上記防水装置のシートでは、止水ゴムが開口部を形成する壁面の支持部材と保持部材との間を止水するので、開閉体の幅方向の端の外側からの浸水を確実に抑制することができる。したがって、屋内側への浸水を抑制することができる。
【００１０】
上記防水装置のシートにおいて、前記止水ゴムが、前記開口部を形成する壁面に取り付けられかつ前記開閉体の幅方向の端を保持するとともに前記保持部材が取り付けられた支持部材と、前記開閉体との間を止水することが好ましい。
【００１１】
上記防水装置のシートでは、止水ゴムが支持部材と開閉体との間を止水するので、開閉体の幅方向の端の外側からの浸水を確実に抑制することができる。したがって、屋内側への浸水を抑制することができる。
【００１２】
上記防水装置のシートにおいて、前記シートの幅方向の端に設けられ、かつ前記シートの幅方向の端とともに前記保持部材に保持される心材を備え、前記止水ゴムは、前記心材の下端よりも下方に延在していることが好ましい。
【００１３】
上記防水装置のシートでは、止水ゴムが心材よりも下方に延在しているので、止水ゴムが、保持部材と床面との間からの浸水を抑制することができる。
【発明の効果】
【００１４】
本発明に係る防水装置のシートは、開閉体の表面側に設けられても、屋内側への浸水を抑制することができるという効果を奏する。
【図面の簡単な説明】
【００１５】
【図１】図１は、本発明の実施形態１に係るシートを備えた開口部の防水装置を示す斜視図である。
【図２】図２は、実施形態１に係るシートを備えた開口部の防水装置の水平断面図である。
【図３】図３は、図２中のＩＩＩ−ＩＩＩ線に沿う断面図である。
【図４】図４は、実施形態１に係るシートの屋内側からみた平面図である。
【図５】図５は、実施形態２に係るシートを備えた開口部の防水装置の水平断面図である。
【図６】図６は、図５中のＶＩ−ＶＩ線に沿う断面図である。
【図７】図７は、実施形態２に係るシートの屋内側からみた平面図である。
【図８】図８は、実施形態２の変形例に係るシートを備えた開口部の防水装置の水平断面図である。
【発明を実施するための形態】
【００１６】
以下に、本発明の実施形態に係る防水装置のシートにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１７】
［実施形態１］
図１から図４を参照して、実施形態１について説明する。実施形態１は、構造物の開口部を防水する防水装置のシート（以下、単にシートと記す）に関する。図１は、本発明の実施形態１に係るシートを備えた開口部の防水装置を示す斜視図、図２は、実施形態１に係るシートを備えた開口部の防水装置の水平断面図、図３は、図２中のＩＩＩ−ＩＩＩ線に沿う断面図、図４は、実施形態１に係るシートの屋内側からみた平面図である。
【００１８】
建物等の構造物の外部開口部には、開閉体としてのシャッターが付けられることが多い。例えば、洪水時などに浸水しやすい地下駐車場の入口や、浸水すると商品が毀損されやすい店舗の入口等にもシャッターが付けられていることが多い。シャッターは、隙間が多い構造であるため、ゲリラ豪雨や洪水時にはシャッターの隙間を介した浸水によってこれらの施設が被害に遭う可能性がある。
【００１９】
浸水対策として、シャッターの下部を防水板（パネル）に変更する方法も考えられるが、一般的に高額となりやすいため、ユーザーにとって受け入れにくい場合がある。
【００２０】
本実施形態のシートは、開口部の防水装置１を構成し、開閉体としてのシャッターの前に設置されて、簡易的にかつ安価に止水することを可能とする。シートは、シャッターとその周囲の構造物とを一体に覆うことで、シャッターと構造物との隙間を閉塞し、適切に止水することができる。よって、本実施形態の開口部の防水装置１によれば、水害による建物内部の被害を軽減することができる。
【００２１】
図１に示す開口部の防水装置１は、構造物Ｓの開口部２（図１に示す）を閉塞し、屋外側から屋内側への水の浸入を抑制するものである。構造物Ｓは、例えば、工場、倉庫、車庫、店舗、家屋等の建築構造物であり、開口部２を有している。開口部２は、構造物Ｓの壁部等に形成されており、構造物Ｓの屋外側と屋内側とを連通している。
【００２２】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに防水装置１を、例えば単なる道路の防水用仕切りとして使用したり、外部空間における門等の箇所に取り付ける等のように、家屋や部屋等の概念がない箇所に設けても良い。また、開口部２は、前述の屋外側と屋内側とを連通するものとすることができる。実施形態１の開口部２は、構造物Ｓの外殻をなす壁部３に形成されており、壁部３を貫通して構造物Ｓの屋外と屋内とを連通している。壁部３には、開口部２を形成する壁面３ａと壁面３ｂを有する。壁面３ａと壁面３ｂとは、開口部２の幅方向において互いに対向している。なお、これに限らず、開口部２は、構造物Ｓの内部を仕切る壁部に形成されたものであってもよい。
【００２３】
シャッター４は、開口部２を開閉する開閉体である。シャッター４は、開閉方向、実施形態１では鉛直上下方向に移動する。シャッター４は、図１及び図３に示すように、金属で構成された複数のスラット４ａを開閉方向即ち鉛直方向に連接して形成されたスラット連接体である。実施形態１では、開方向が上方向、閉方向が下方向となる。
【００２４】
シャッター４は、図１及び図２に示すように、幅方向の両端がガイドレール５（支持部材に相当）により保持されて、鉛直方向の移動が案内される。ガイドレール５は、壁面３ａ，３ｂの屋内側の縁にそれぞれ設けられており、幅方向において互いに対向している。シャッター４の幅方向の両端は、それぞれ、ガイドレール５の溝部５ａに挿入されている。溝部５ａは、開閉方向即ち鉛直方向に延在しており、シャッター４を開閉方向即ち鉛直方向に移動自在に案内する。
【００２５】
また、シャッター４は、開口部２の上端部に設けられたホイルかご（図示せず）に巻き取り可能である。シャッター４は、ホイルかごに巻き取られることで、開口部２を解放することができ、ホイルかごから繰り出されることで開口部２を閉鎖することができる。シャッター４の巻き取り繰り出しは、手動でなされても、モータ等の駆動装置によってなされても良い。実施形態１のシャッター装置は、シャッター４、ガイドレール５及びホイルかごなどを有する。
【００２６】
図１に戻り、開口部の防水装置（以下、防水装置と呼ぶ）１は、保持部材２０、シート１０、押圧部材３０を備える。
【００２７】
保持部材２０は、シート１０をシャッター４よりも屋外側に位置付けて構造物Ｓに対して保持する。図１に示すように、保持部材２０は、アルミニウム合金等で構成され、一対設けられている。保持部材２０は、壁面３ａ，３ｂにそれぞれ設けられている。なお、実施形態１では、保持部材２０は、ガイドレール５よりも屋外側に配置されている。即ち、ガイドレール５が、保持部材２０よりも屋内側に配置されている。保持部材２０は、断面Ｃ字形状のＣ字状部２１と、Ｃ字状部２１に連なった平板状部２２とを備えている。保持部材２０のＣ字状部２１は、屋内側に対向する面にスリット２１ａが形成されている。平板状部２２は、Ｃ字状部２１のスリット２１ａの背面側即ち屋外側に連なり、壁面３ａ，３ｂに取り付けられる。保持部材２０は、鉛直方向に延在しており、シャッター４の所定部４１に対応する範囲に配置されている。すなわち、保持部材２０は、シャッター４の下端から所定部４１の上端までの範囲に対応して配置されている。保持部材２０は、シート１０や心材１１と一体に形成に形成されていてもよい。材質もシート１０を保持できれば任意であり、アルミニウム合金に替えて例えば硬質性の樹脂等でもよい。
【００２８】
シート１０は、開口部２に設置されるものであり、開口部２の鉛直方向下端側の領域を閉塞することが可能な幅および長さを有している。シート１０は、図４に示すように、例えば、矩形のシート本体１２と、シート本体１２に設けられた心材１１と、シート本体１２に設けられた止水ゴム５０とを備える。シート本体１２は、遮水性を有しており、開口部２のシートとして機能することができる。また、シート本体１２は、可撓性を有しており、伸縮可能であってもよい。シート本体１２の素材は、例えば、樹脂、ゴム、表面を樹脂などでコーティングした布とすることができる。シート本体１２は、水圧によるシャッター４等の開閉体の変形に追従できる素材で構成されることが好ましい。
【００２９】
シート本体１２の幅は、シャッター４の幅よりも大きい。また、シート本体１２の幅は、開口部２の幅、言い換えると壁面３ａと壁面３ｂとの距離よりも大きいことが好ましい。シート本体１２の鉛直方向の長さは、対応すべき水深に基づいて定められている。すなわち、シャッター４の下端から鉛直方向上側に向けてどの範囲をシート１０によって覆い防水するかに基づいてシート１０の全長が定められている。以下の説明では、シャッター４においてシート１０によって覆われるべき部分を「所定部」（図１の符号４１参照）と称する。所定部４１は、シャッター４の鉛直方向下端側の部分である。
【００３０】
心材１１は、図４に示すように、シート本体１２の幅方向の両端それぞれに配置されている。心材１１は、軽量でかつ可撓性を有する素材、例えば樹脂素材で形成されている。心材１１は、シート本体１２の幅方向の両端の上端から所定部４１の下端に対応する箇所、即ち、シート本体１２の幅方向の両端のシート下部１３を除く箇所に配置されている。心材１１は、シート本体１２の長さ方向（鉛直方向）に延在している。心材１１は、円柱状に形成され、シート本体１２の壁面３ａ，３ｂ及びシャッター４に対向する面に設けられ、保持部材２０のＣ字状部２１に挿入可能である。保持部材２０のＣ字状部２１のスリット２１ａの幅は、シート本体１２と心材１１をあわせた厚みよりも小さいため、心材１１がスリットを介してＣ字状部２１から抜け出ることが規制される。なお、心材１１は、円柱状のものには限定されず、例えば、断面が矩形などの多角形の平板状であってもよい。
【００３１】
心材１１とシート本体１２の幅方向の両縁がＣ字状部２１内に挿入されて、シート１０は、保持部材２０に保持される。シート本体１２が、シャッター４の所定部４１と、構造物Ｓのうち所定部４１に隣接する部分とを一体に覆うことで開口部２の鉛直方向下端部を閉塞させるように、シート１０は、保持部材２０に保持される。また、シート本体１２の鉛直方向下端部が床面６に沿って屋外側に向けて延在するようにシート本体１２の幅方向の両端が保持部材２０に保持する。これにより、シート本体１２即ちシート１０は、シャッター４が有する隙間やシャッター４と構造物Ｓとの隙間を塞ぎ、屋内側への浸水を抑制することができる。なお、本明細書では、シート本体１２の鉛直方向下端部であって、シート本体１２即ちシート１０が保持部材２０によって保持された状態で床面６に沿って延在する部分を、以下「シート下部１３」と記載する。本発明でいう床面とは、説明上分かりやすくするための便宜上の表現であって、通常の床面６のみならず、コンクリート面や地面等の開口部２の下方に位置する面を総称する。
【００３２】
止水ゴム５０は、屋内への浸水を抑制するものである。止水ゴム５０は、発泡ゴムなどの防水性と弾性を有した合成樹脂で構成され、図２及び図３に示すように、シート本体１２のシャッター４に対向する面に取り付けられて、あたかもシート本体１２に一体に形成されている。止水ゴム５０は、シート本体１２の幅方向の両端それぞれの屋内側の面（すなわち、壁面３ａ，３ｂに対向する面であり、便宜上、シート１０の裏面ということもある。言い換えれば、シート１０の裏面とは壁面３ａ，３ｂ、床面６と対向する面のことである。また、裏面の反対側の面を、便宜上、シート１０の表面ということもあり、到達する水を受ける面である。）に取り付けられ、心材１１よりもシート本体１２の幅方向の内側に配置されている。また、シート１０が壁面３ａ，３ｂや床面６に取り付けられる前のシート１０単体の状態において、止水ゴム５０は、断面矩形の平板形状であり、シート本体１２の長さ方向（鉛直方向）に延在し、シート本体１２の所定部４１に対応する範囲とシート下部１３に対応する範囲の例えば中央とに亘って設けられている。即ち、止水ゴム５０は、心材１１の下端よりもシート１０の鉛直方向下方に延在している。
【００３３】
止水ゴム５０は、シート本体１２の両端と心材１１が保持部材２０に保持されると、図２に示すように、所定部４１に対応する範囲では、壁面３ａ，３ｂのガイドレール５と保持部材２０との間に設けられるとともに、図１乃至図３に示すように、壁面３ａ，３ｂと床面６との境界部分を含めて所定部４１に対応する範囲に連続して、シート下部１３の裏面側に、すなわち、シート下部１３と床面６との間の所定の範囲に設けられる。ここで、シート下部１３と床面６との間に設けられる止水ゴム５０の範囲である壁面３ａ，３ｂから離間する距離は、例えば、所定部４１に対応する長さ以下や半分以下等（無論０ではない）、使用上における止水目的、特に壁面３ａ，３ｂと床面６との境界部分の止水を達成できれば任意であるが、押圧部材３０を載置できる長さであることが好ましい。また、勿論、シート下部１３と床面６との間に設けられる止水ゴム５０をシート下部１３の開口部幅全体（言い換えれば、壁面３ａ，３ｂ間全範囲）や略全体に亘って設けてもよい。なお、止水ゴム５０の所定部４１に対応する長さ（設置時における高さ）は、保持部材２０の長さ（設置時における高さ）と同じか略同じが好ましい。
【００３４】
押圧部材３０は、シート１０のシート下部１３上に配置されて、シート１０を構造物Ｓに向けて押圧するものであり、例えばシート１０を床面６に向けて押圧する。押圧部材３０は、図１、図２及び図３に示すように、シート下部１３上に開口部２の幅方向に沿って連続的に配置される。押圧部材３０は、棒状あるいは板状であることが好ましい。実施形態１に係る押圧部材３０は、板状のフラットバーである。押圧部材３０は、例えば、金属で構成され、浮力に抗してシート下部１３を床面６に向けて押圧することができる質量や密度を有している。押圧部材３０は、シート下部１３が床面６に沿って配置された後でシート下部１３上に設置される。これにより、押圧部材３０は、シャッター４の下端部の近傍においてシート１０を床面６に密着させておくことができる。押圧部材３０は、一本でもよいし、複数に分割されていても結果として開口部２の幅方向に沿って連続的に配置されていてもよい。なお、使用上における止水目的を達成できれば、連続的でなく、若干途切れている箇所があってもよい。
【００３５】
また、防水装置１は、図２及び図３に示すように、シャッター４を支持するシャッター用支持部材６０を備えている。シャッター用支持部材６０は、シート１０を開口部２に設置する場合、即ち、防水装置１を組み立てる場合に、シャッター４よりも屋内側の床面６上に設置されて、シャッター４の内面と当接してシャッター４の厚さ方向の変形を抑制する。実施形態１では、シャッター用支持部材６０は、側方からみて直角三角形に形成され、床面６から上方に向けて延在して鉛直方向と平行な当接部６１が、水圧によって屋内側に撓んだシャッター４の内面と当接することで、シャッター４の更なる変形を抑制する。つまり、シャッター用支持部材６０は、屋外側からの水圧による力に抗してシャッター４を支持することで、シャッター４の変形を抑制する。
【００３６】
シート１０を開口部２に設置する場合、即ち、防水装置１を組み立てる場合、まず、保持部材２０を壁面３ａ，３ｂに取り付ける。そして、シート１０のシート本体１２の幅方向の両端及び心材１１を、保持部材２０の上端からＣ字状部２１内に挿入し、シート１０のシート本体１２の両端及び心材１１を保持部材２０の下端に向けてＣ字状部２１内を移動する。そして、シート１０のシート本体１２の両端及び心材１１が保持部材２０のＣ字状部２１に挟持され、シート１０のシート本体１２の心材１１が設けられていないシート下部１３を、保持部材２０の下端と床面６との間を通して、床面６上に引き出し、床面６に沿って屋外側に向けて延在される。なお、保持部材２０がシート１０や心材１１と一体に形成されていれば、心材１１を保持部材２０に挿入する作業を省略できる。
【００３７】
すると、シート１０のシート本体１２の幅は、開口部２の幅よりも大きく、以下に示すような幅に設定している。すなわち、シート１０のシート本体１２の両端が保持部材２０によって保持された状態で、シート１０は、たるみを有している。つまり、保持部材２０は、シート１０がたるみを有した状態でシート１０のシート本体１２を保持し、シート１０が保持部材２０よりもシャッター４側に向けて撓んで所定部４１と接触することを許容する。従って、シート１０のシート本体１２が保持部材２０によって保持された状態で、シート１０を壁面３ａ，３ｂおよびシャッター４に沿わせ、壁面３ａ，３ｂおよびシャッター４に接触した状態に設置することが可能である。また、シート１０のシート本体１２が保持部材２０によって保持された状態で、シート１０を壁面３ａ，３ｂおよびシャッター４に沿わせると、止水ゴム５０が壁面３ａ，３ｂに対向する。なお、保持部材２０に保持され、かつ水圧がかかる前の状態において、シート１０がシャッター４および壁面３ａ、３ｂに密着可能な程度のたるみを有していることが好ましい。
【００３８】
また、シート１０のシート本体１２の鉛直方向の長さは、シャッター４の所定部４１の鉛直方向の長さよりも長く、以下に示すような長さに設定している。すなわち、シート１０が保持部材２０によって保持された状態で、シート下部１３を床面６上に垂らし、床面６に沿わせることが可能である。シート１０のシート本体１２は、このシート下部１３を床面６に沿って屋外側に向けて延在させた状態で設置される。言い換えると、シート１０のシート本体１２は、シート下部１３が床面６と互いに対向し、かつ先端側へ向かうに従いシャッター４から離間するように配置される。なお、シート１０のシート本体１２は、このシート下部１３を床面６に沿って屋外側に向けて延在させた状態で設置される際、シート下部１３の幅方向の両縁即ち止水ゴム５０が床面６に重ねられ、シート下部１３の幅方向の中央部がシート下部１３の幅方向の両縁上に重ねられる。
【００３９】
そして、押圧部材３０をシート下部１３の上に、かつ好ましくはシート下部１３と床面６との間に設けられる止水ゴム５０の上側になるように配置する。こうして、シート１０のシート本体１２が所定部４１と壁面３ａ，３ｂの所定部４１に隣接する部分とを一体に覆いかつシート下部１３が床面６に沿って屋外側に向けて延在した状態で、押圧部材３０によりシート１０のシート本体１２を床面６、構造物Ｓの壁面３ａ，３ｂ及びシャッター４に向けて押圧する。シャッター４よりも屋内側の床面６にシャッター用支持部材６０を取り付ける。こうして、防水装置１が組み立てられる。
【００４０】
また、防水装置１は、シート１０のシート本体１２の上端部を構造物Ｓのシャッター４に向けて押圧するマグネット７０（他の押圧部材に相当）を備えている。マグネット７０は、シート１０のシート本体１２の上端部に配置され、その吸引力によってシート１０のシート本体１２の上端部をシャッター４に対して固定する。マグネット７０は、予めシート１０のシート本体１２に固定されていても良いが、これに代えて、シート１０のシート本体１２にポケット部を設けておき、シート１０のシート本体１２の設置時にマグネット７０をポケット部に入れるようにしても良い。マグネット７０によって、シート１０のシート本体１２がシャッター４に向けて吸引されることにより、シート１０のシート本体１２が垂れ下がることが抑制される。これにより、シート１０のシート本体１２の上端を狙いとする水位の位置よりも上方に保持しておくことができる。
【００４１】
なお、シート１０のシート本体１２をシャッター４に対して保持する手段は、マグネット７０に限定されるものではない。例えば、粘着式のテープや面ファスナー、吸盤等によってシート１０のシート本体１２がシャッター４に対して固定されても良い。
【００４２】
実施形態１の防水装置１では、洪水やゲリラ豪雨等によって屋外の水嵩が増すと、まずシート下部１３が水に接する。水圧によってシート下部１３は床面６に向けて押圧されて止水ゴム５０が床面６に密着する。これにより、シート下部１３と床面６との間から水が浸入することが抑制される。また、押圧部材３０によってシート下部１３が床面６に向けて押圧されていることで、低水位の場合であってもシート下部１３と床面６との隙間を介した浸水がより確実に抑制される。また、押圧部材３０は、水流等によってシート下部１３が浮き上がることを抑制することが可能である。シート１０のシート本体１２は、水圧によって所定部４１と、所定部４１に隣接する床面６とを一体に覆うことができる。
【００４３】
また、シート１０のシート本体１２において、シャッター４、ガイドレール５や壁面３ａ，３ｂを覆う部分は、水圧によってシャッター４、ガイドレール５や壁面３ａ，３ｂに向けて押圧されて、止水ゴム５０が壁面３ａ，３ｂに密着する。これにより、シート１０のシート本体１２は、シャッター４の所定部４１と、所定部４１に隣接する壁面３ａ，３ｂとを一体に覆うことができる。シート１０のシート本体１２は、水圧によって押圧されることにより、シャッター４、ガイドレール５や壁面３ａ，３ｂ等に密着し、止水ゴム５０が壁面３ａ，３ｂに密着する。そして、シート１０は、止水ゴム５０が壁面３ａ，３ｂのガイドレール５と保持部材２０との間を止水して、シート１０とシャッター４、ガイドレール５、壁面３ａ，３ｂとの間に水が浸入することを抑制することができる。
【００４４】
また、シート１０は、水圧によって、止水ゴム５０が壁面３ａ，３ｂ及び床面６に密着して、保持部材２０と、床面６及び壁面３ａ，３ｂとの間の隙間を塞ぐことで、これらの隙間を介した屋内側への浸水を抑制することができる。シート１０は、水圧によってシャッター４の所定部４１と、所定部４１に隣接する床面６との隙間を塞ぐことで、シャッター４と床面６との隙間を介した屋内側への浸水を抑制することができる。
【００４５】
シート１０は、水圧によってシャッター４等に向けて押圧され、シャッター４がシャッター用支持部材６０に当接するために、水位が増加するに従いシャッター４等に対する密着性が増し、また各隙間を閉塞する閉塞性が増す。よって、シート１０は、水位に応じて遮水性能が増し、適切に屋内側への浸水を抑制することができる。
【００４６】
また、シート１０は、予めたるみを有した状態で保持部材２０によって保持されているため、水位の増加に応じて水圧によって速やかにシャッター４や壁面３ａ，３ｂ等に密着することが可能である。また、たるみを有しているため、シャッター４と壁面３ａ，３ｂとの間の隙間など、各部の隙間の形状に対応して適切に変形・屈曲し、各隙間を速やかにかつ適切に閉塞することができる。
【００４７】
本実施形態のシート１０によれば、所定部４１に対応する範囲とシート下部１３の中央とに亘ってシート本体１２の幅方向の両端に止水ゴム５０を設けているので、シート１０に作用する水圧によって、止水ゴム５０が床面６に密着する。したがって、シート１０は、止水ゴム５０によりシャッター４と床面６との間からの浸水を抑制できる。
【００４８】
また、シート１０は、シート本体１２の幅方向の両端に止水ゴム５０を設けているので、シート１０に作用する水圧によって、止水ゴム５０が壁面３ａ，３ｂに密着する。したがって、シート１０は、止水ゴム５０により壁面３ａ，３ｂとの間からの浸水を抑制することができ、シャッター４の幅方向の両端よりも外側からの浸水を抑制することができる。
【００４９】
このために、シート１０に作用する水圧によって、シート１０は、止水ゴム５０によりシャッター４の下縁と床面６との間からの浸水と、シャッター４の幅方向の両縁の外側からの浸水を抑制することができる。したがって、シート１０は、屋内側への浸水を抑制することができる。
【００５０】
また、シート１０は、止水ゴム５０が心材１１よりも下方に延在しているので、水圧によって、止水ゴム５０が確実に床面６に密着する。したがって、シート１０は、保持部材２０と床面６との間からの浸水を確実に抑制することができる。よって、シート１０は、屋内側への浸水を抑制することができる。
【００５１】
さらに、シート１０では、止水ゴム５０が、シート本体１２のシャッター４に対向する面に取り付けられて、シート本体１２と一体に形成されている。このために、シート本体１２の両端を保持部材２０で保持することで、止水ゴム５０を壁面３ａ，３ｂ及び床面６に確実に対向させることができ、これらに密着させることができる。したがって、シート本体１２の両端を保持部材２０で保持することで、屋内側への浸水を抑制することができ、シート１０を容易に構造物Ｓの開口部２に設置することができる。
【００５２】
［実施形態２］
実施形態２について説明する。図５は、実施形態２に係るシートを備えた開口部の防水装置の水平断面図、図６は、図５中のＶＩ−ＶＩ線に沿う断面図、図７は、実施形態２に係るシートの屋内側からみた平面図である。図５〜図７において、実施形態１と同一部分には、同一符号を付して説明を省略する。
【００５３】
実施形態２の防水装置１−１が設置される開口部２では、図５及び図６に示すように、ガイドレール５が、レール支持部材７を介して壁部３の表面３ｃに取り付けられている。実施形態２においても、ガイドレール５は、互いの間に開口部２を位置付け、シャッター４の幅方向の両縁が挿入される溝部５ａが互いに対向している。
【００５４】
また、実施形態２の防水装置１−１では、図５に示すように、保持部材２０の平板状部２２がガイドレール５の外側面５ｂに取り付けられて、Ｃ字状部２１が平板状部２２よりの幅方向の内側に配置されている。実施形態２の防水装置１−１においても、実施形態１と同様に、図７に示すように、シート本体１２の幅方向の両縁の上端から所定部４１の下端に対応する箇所に心材１１が設けられている。シート１０が壁面３ａ，３ｂや床面６に取り付けられる前のシート１０単体の状態において、止水ゴム５０は、断面矩形の平板形状であり、シート１０の長さ方向（鉛直方向）に延在し、シート１０の所定部４１に対応する範囲とシート下部１３に対応する範囲の例えば中央とに亘って設けられている。止水ゴム５０は、シート１０の両端と心材１１が保持部材２０に保持されると、所定部４１に対応する範囲では、壁面３ａ，３ｂのガイドレール５と保持部材２０との間に設けられるとともに、壁面３ａ，３ｂと床面６との境界部分を含めて所定部４１に対応する範囲に連続して、シート下部１３の裏側に、即ち、シート下部１３と床面６との間の所定の範囲に設けられる。ここで、シート下部１３と床面６との間に設けられる止水ゴム５０の範囲である壁面３ａ，３ｂから離間する距離は、例えば、所定部４１に対応する長さ以下や半分以下等（無論０ではない）、使用上における止水目的、特に壁面３ａ，３ｂと床面６との境界部分の止水を達成できれば任意であるが、押圧部材３０を載置できる長さであることが好ましい。また、勿論、シート下部１３と床面６との間に設けられる止水ゴム５０をシート下部１３の開口部幅全体（言い換えれば、壁面３ａ，３ｂ間全範囲）や略全体に亘って設けてもよい。なお、止水ゴム５０の所定部４１に対応する長さ（設置時における高さ）は、保持部材２０の長さ（設置時における高さ）と同じか略同じが好ましい。
【００５５】
実施形態２の防水装置１−１は、実施形態１と同様に組み立てられる。まず、防水装置１−１は、保持部材２０をガイドレール５の外側面５ｂに取り付け、シート１０のシート本体１２の幅方向の両端及び心材１１を、保持部材２０の上端からＣ字状部２１内に挿入して、下方に向けて移動させる。そして、シート１０のシート本体１２の両端及び心材１１が保持部材２０のＣ字状部２１に挟持され、シート１０のシート本体１２の心材１１が設けられていないシート下部１３を、保持部材２０の下端と床面６との間を通して、床面６上に引き出し、床面６に沿って屋外側に向けて延在される。
【００５６】
そして、シート１０のシート本体１２をガイドレール５の表面及びシャッター４に沿わせ、止水ゴム５０をガイドレール５の表面及びシャッター４に対向させる。シート下部１３の幅方向の両縁即ち止水ゴム５０を床面６に重ね、シート下部１３の幅方向の中央部をシート下部１３の幅方向の両縁上に重ねる。そして、止水ゴム５０が、ガイドレール５とシャッター４とに亘って設けられる。
【００５７】
そして、押圧部材３０をシート下部１３上に配置する。こうして、シート１０のシート本体１２が所定部４１と壁面３ａ，３ｂの所定部４１に隣接する部分とを一体に覆いかつシート下部１３が床面６に沿って屋外側に向けて延在した状態で、押圧部材３０によりシート１０のシート本体１２を床面６、ガイドレール５の表面及びシャッター４に向けて押圧する。さらに、シャッター４よりも屋内側の床面６にシャッター用支持部材６０を取り付ける。こうして、実施形態２の防水装置１−１が組み立てられる。
【００５８】
実施形態２の防水装置１−１は、実施形態１と同様に、洪水やゲリラ豪雨等によって屋外の水嵩が増すと、水圧によって止水ゴム５０が床面６、ガイドレール５の表面及びシャッター４に密着し、止水ゴム５０がガイドレール５とシャッター４との間を止水し、シート下部１３と床面６との間を止水する。これにより、シート１０は、シャッター４の所定部４１と、所定部４１に隣接するガイドレール５とを一体に覆い、ガイドレール５とシャッター４との間、ガイドレール５及びシャッター４と床面６との間に水が浸入することを抑制する。
【００５９】
実施形態２のシート１０によれば、所定部４１に対応する範囲とシート下部１３の中央とに亘ってシート本体１２の幅方向の両端に止水ゴム５０を設けている。このために、シート１０に作用する水圧によって、止水ゴム５０が、床面６に密着するとともに、所定部４１のガイドレール５の表面とシャッター４と床面６とに密着する。このために、止水ゴム５０が、シャッター４の下縁と床面６との間からの浸水と、シャッター４の幅方向の両端よりも外側からの浸水を抑制することができる。したがって、シート１０は、ガイドレール５とシャッター４との間からの浸水を止水ゴム５０により抑制することができ、ガイドレール５及びシャッター４と床面６との間からの浸水を止水ゴム５０により抑制することができる。
【００６０】
また、シート１０によれば、止水ゴム５０が心材１１よりも下方に延在して保持部材２０と床面６との間からの浸水を確実に抑制することができる。よって、シート１０は、屋内側への浸水を抑制することができる。
【００６１】
さらに、シート１０では、止水ゴム５０がシート本体１２と一体に形成されているために、シート本体１２の両端を保持部材２０で保持することで、止水ゴム５０をガイドレール５の表面、シャッター４及び床面６に確実に対向させることができ、これらに密着させることができる。したがって、シート本体１２の両端を保持部材２０で保持することで、屋内への浸水を抑制することができ、シート１０を容易に組み立てることができる。
【００６２】
［変形例］
実施形態２の変形例について説明する。図８は、実施形態２の変形例に係るシートを備えた開口部の防水装置の水平断面図である。図８において、実施形態１、実施形態２と同一部分には、同一符号を付して説明を省略する。
【００６３】
実施形態２の変形例では、図８に示すように、ガイドレール５が開口部２を形成する壁部３の屋外側の縁に埋設されて、ガイドレール５が壁面３ａ，３ｂの屋外側の縁に設けられている。また、保持部材２０の平板状部２２が壁部３の表面３ｃに取り付けられている。
【００６４】
実施形態２の変形例のシート１０によれば、実施形態２と同様に、シート１０に作用する水圧によって、止水ゴム５０が、床面６に密着するとともに、所定部４１のガイドレール５の表面とシャッター４と床面６とに密着する。したがって、シート１０は、ガイドレール５とシャッター４との間からの浸水を止水ゴム５０により抑制することができ、ガイドレール５及びシャッター４と床面６との間からの浸水を止水ゴム５０により抑制することができる。
【００６５】
なお、実施形態１では、防水装置１を組み立てる場合、壁面３ａ，３ｂに保持部材２０を取り付けるようにしたが、本発明では、予め、壁面３ａ，３ｂに保持部材２０を取り付けておいても良い。また、防水装置１，１−１を組み立てる時に壁面３ａ，３ｂやガイドレール５に保持部材２０を取り付ける場合には、予め壁面３ａ，３ｂやガイドレール５の保持部材２０を取り付ける位置に、保持部材２０の位置を示す印（マーキングともいう）を設けても良い。
【００６６】
さらに、本発明では、シート１０と止水ゴム５０とを一体に形成して、これら全体を発泡ゴムなどの防水性と弾性を有した合成樹脂で構成しても良い。また、本発明では、止水ゴム５０をシート１０の幅方向の両端の所定部４１に対応する範囲とシート下部１３との全長に亘って設けても良い。
【００６７】
また、実施形態１及び実施形態２では、開閉体としてシャッター４を示しているが、本発明では、開閉体として、ガラスなどで構成された一対の扉などを備えた開閉扉を用いても良い。この場合、シート１０のシート本体１２の上端部を構造物Ｓの開閉体に押圧するために、他の押圧部材として粘着テープや吸盤を用いるのが望ましい。
【符号の説明】
【００６８】
１，１−１  開口部の防水装置
２  開口部
３  壁部
３ａ，３ｂ  壁面
４  シャッター（開閉体）
５  ガイドレール（支持部材）
６  床面
１０  シート
１１  心材
１２  シート本体
１３  シート下部（鉛直方向下端部）
２０  保持部材
４１  所定部
５０  止水ゴム
Ｓ  構造物
【図１】
2014136898.tif 000003
【図２】
2014136898.tif 000004
【図３】
2014136898.tif 000005
【図４】
2014136898.tif 000006
【図５】
2014136898.tif 000007
【図６】
2014136898.tif 000008
【図７】
2014136898.tif 000009
【図８】
2014136898.tif 000010